(57)【要約】【課題】  画像データ読影時において受検者の患者情報の漏洩を防止する。【解決手段】  検査施設１１０の医用画像診断装置１は、画像データ生成部１１において生成した画像データに対して受検者の患者情報と検査担当者ＩＤを付加して送信データを生成し読影装置３に供給する。一方、読影装置３は、読影担当者ＩＤと前記検査担当者ＩＤをアクセス権管理装置４に供給し、アクセス権管理装置４の出力可否判定部４３は、読影担当者と検査担当者の組み合わせによって予め設定されたアクセス権と読影装置３から供給された前記読影担当者ＩＤ及び前記検査担当者ＩＤを照合して生成した出力可否信号を読影装置３に供給する。そして読影装置３の制御部３４は、前記出力可否信号に基づいて画像データ及び患者情報の出力部３５における出力を制御する。【選択図】  図１
2006198042.tif 000002
【特許請求の範囲】
【請求項１】
検査施設あるいはこの検査施設における検査担当者の識別情報と読影担当者の識別情報に基づいて予め設定されたアクセス権を保存するアクセス権記憶手段と、
受検者に対して画像データを生成する画像データ生成手段と、
前記画像データの生成を担当した検査施設あるいは検査担当者の識別情報と前記受検者の患者情報を付帯情報として前記画像データを保存するデータ記憶手段と、
前記画像データの読影を担当する読影担当者の識別情報及び前記画像データの生成を担当した検査施設あるいは検査担当者の識別情報と前記アクセス権記憶手段に保存された前記アクセス権を照合して出力可否の判定を行なう出力可否判定手段と、
この出力可否判定手段による判定結果に基づいて前記画像データ及び前記患者情報の出力を制御する出力制御手段と、
この出力制御手段によって出力が許可された前記画像データ及び患者情報を出力する出力手段を
備えたことを特徴とする画像データ読影システム。
【請求項２】
アクセス権設定手段を備え、前記アクセス権設定手段は、前記検査施設あるいは前記検査担当者と前記読影担当者の組み合わせに対して画像データ読影時における画像データ及び患者情報の出力可否を設定することを特徴とする請求項１記載の画像データ読影システム。
【請求項３】
送信データ生成手段を備え、前記データ記憶手段は、前記送信データ生成手段が少なくとも前記画像データの生成を担当した検査施設あるいは検査担当者の識別情報と前記受検者の患者情報と前記画像データを用いて生成したＤＩＣＯＭファイルを保存することを特徴とする請求項１記載の画像データ読影システム。
【請求項４】
前記出力可否判定手段は、画像データ及び患者情報の出力を許可する判定、画像データのみの出力を許可する判定、画像データ及び患者情報の何れの出力も許可しない判定の何れかを選択することを特徴とする請求項１記載の画像データ読影システム。
【請求項５】
前記出力手段は、前記画像データを表示する表示手段と前記画像データをフィルム印刷する印刷手段の少なくとも何れかを備えたことを特徴とする請求項１記載の画像データ読影システム。
【請求項６】
画像データの生成を行なう画像診断装置と前記画像データの読影を行なう読影装置と前記画像データの読影におけるアクセス権を設定するアクセス権管理装置がネットワークを介して接続された画像データ読影システムであって、
前記画像診断装置は、
受検者に対して画像データを生成する画像データ生成手段と、
前記画像データと前記受検者の患者情報と前記画像データの生成を担当した検査施設あるいは検査担当者の識別情報を用いて送信データを生成する送信データ生成手段を有し、
前記読影装置は、
ネットワークを介して前記送信データ生成手段から供給された前記送信データを保存するデータ記憶手段と、
前記画像データの読影を担当する読影担当者の識別情報を入力する入力手段と、
ネットワークを介して前記アクセス権管理装置から供給された出力可否の判定結果に基づいて前記画像データ及び前記患者情報の出力を制御する出力制御手段と、
前記出力制御手段によって出力が許可された前記画像データ及び前記患者情報を出力する出力手段を有し、
前記アクセス権管理装置は、
検査施設あるいはこの検査施設における検査担当者の識別情報と読影担当者の識別情報に基づいて予め設定されたアクセス権を保存するアクセス権記憶手段と、
前記画像データの読影を担当する読影担当者の識別情報及び前記画像データの生成を担当した検査施設あるいは前記検査担当者の識別情報と前記アクセス権記憶手段に保存された前記アクセス権を照合して出力可否の判定を行なう出力可否判定手段を
有することを特徴とする画像データ読影システム。
【請求項７】
検査施設あるいは検査担当者の識別情報と読影担当者の識別情報に基づいてアクセス権を予め設定するアクセス権設定手段と、
設定した前記アクセス権を保存するアクセス権記憶手段と、
受検者に対して画像データの生成を担当した検査施設あるいは検査担当者の識別情報及び前記画像データの読影を担当する読影担当者の識別情報と前記アクセス権記憶手段に保存された前記アクセス権を照合して画像データ読影時における画像データ及び患者情報の出力可否を判定する出力可否判定手段を
備えたことを特徴とするアクセス権管理装置。
【請求項８】
検査施設あるいは検査担当者の識別情報と読影担当者の識別情報に基づいてアクセス権を設定するステップと、
受検者に対して画像データを生成するステップと、
前記画像データの生成を担当した検査施設あるいは検査担当者の識別情報と前記受検者の患者情報を付帯情報として前記画像データを保存するステップと、
前記画像データの読影を担当する読影担当者の識別情報及び前記画像データの生成を担当した検査施設あるいは検査担当者の識別情報と前記アクセス権を照合して出力可否を判定するステップと、
前記出力可否の判定結果に基づいて前記画像データ及び前記患者情報を出力するステップと、
出力された画像データに対して読影を行なうステップを
有することを特徴とする画像データ読影方法。
【発明の詳細な説明】
【技術分野】
【０００１】
本発明は、画像データの読影に際し、受検者の個人情報に関する漏洩を防止することが可能な画像データ読影システム、アクセス権管理装置及び画像データ読影方法に関する。
【背景技術】
【０００２】
Ｘ線診断装置、Ｘ線ＣＴ装置あるいはＭＲＩ装置等を用いた医用画像診断は、コンピュータ技術の発展に伴って急速な進歩を遂げ、今日の医療において必要不可欠なものとなっている。
【０００３】
上述の医用画像診断装置を備えた検査施設の医療従事者（検査技師あるいは医師等）は、通常、これらの装置を用いて得られた受検者の画像データをネットワークを介して院内あるいは院外の読影施設に供給し、この読影施設において前記検査施設の医療従事者が生成した画像データの読影を担当する医療従事者（読影医等）は供給された前記画像データに対して読影を行なう。
【０００４】
即ち、ネットワークを介して複数の検査施設における画像診断装置と接続された読影施設の画像データサーバ（画像データ記憶部）には、各々の検査施設における医療従事者（以下では、検査担当者と呼ぶ。）から供給された画像データが逐次保存される。そして、読影施設の医療従事者（以下では、読影担当者と呼ぶ。）は、これらの画像データの中から自己が担当する検査施設あるいは検査担当者から供給された画像データを検索して読影を行なっている。
【０００５】
上述の読影方法によれば、読影施設の画像データサーバに対してログインが可能な読影担当者は、画像データサーバに保管されている全ての画像データ、あるいは、この画像データの付帯情報である受検者の個人情報（以下では、患者情報と呼ぶ。）を特別な制約を受けることなく参照することが可能であった。このため、参照対象者を厳しく限定すべき患者情報を、如何なる読影担当者も容易に参照することができ、患者（受検者）のプライバシー侵害に繋がる可能性を有していた。
【０００６】
このような従来の問題点に対し、読影施設に画像データを供給する際に、画像データに付加されている患者情報等の個人情報をマスキングする方法が行なわれている。
【０００７】
更に、画像データに対して、生成直後の画像データ、画質確認済みの画像データ、読影後の画像データ等の属性を設定し、各々の属性の画像データ及びこの画像データに付帯されている患者情報に対するアクセス権を検査施設側あるいは読影施設側における医療従事者の職務レベル（例えば、医師、看護師、検査技師）に基づいて設定することにより受検者の個人情報の漏洩を防止する方法が提案されている（例えば、特許文献１参照。）。
【特許文献１】特開２００２−１４０６８５号公報
【発明の開示】
【発明が解決しようとする課題】
【０００８】
読影施設に対する画像データの供給において、患者情報等の個人情報をマスキングする方法は、検査施設側の検査担当者によるマスキング処理作業が必要となるため、検査担当者に対して多大な負担を与えていた。又、上述のマスキング処理は非可逆的なデータ処理であるため、オリジナル画像データの他にマスキング画像データを更に生成する必要がある。このため、検査施設と読影施設を結んで構成される読影ネットワーク内においてオリジナル画像データとマスキング画像データが混在し、画像データの取り違え等のトラブルが発生する可能性を有していた。
【０００９】
一方、上述の特許文献１の方法によれば、所定の属性に含まれた画像データに対して読影を行なう場合、同一の職務レベルにある読影担当者に対して同一のアクセス権が設定されるため、読影施設に供給された画像データ及びこの画像データに付帯された患者情報に対して同一職務レベルの如何なる読影担当者も制約を受けることなく参照することが可能であった。即ち、当該受検者から得られた画像データの読影に無関係な読影担当者も画像データと患者情報の参照が容易に可能となるため、個人情報漏洩の危険性やデータ損傷の危険性を有していた。
【００１０】
本発明は、このような従来の問題点に鑑みてなされたものであり、その目的は、検査施設あるいは検査施設の検査担当者と読影施設の読影担当者の識別情報に基づいて設定された医療情報アクセス権を用いて読影時における画像データや患者情報等のセキュリテイ管理を行なうことにより、受検者に関する個人情報の漏洩を防止することが可能な画像データ読影システム、アクセス権管理装置及び画像データ読影方法を提供することにある。
【課題を解決するための手段】
【００１１】
上述の課題を解決するために、請求項１に係る本発明の画像データ読影システムは、検査施設あるいはこの検査施設における検査担当者の識別情報と読影担当者の識別情報に基づいて予め設定されたアクセス権を保存するアクセス権記憶手段と、受検者に対して画像データを生成する画像データ生成手段と、前記画像データの生成を担当した検査施設あるいは検査担当者の識別情報と前記受検者の患者情報を付帯情報として前記画像データを保存するデータ記憶手段と、前記画像データの読影を担当する読影担当者の識別情報及び前記画像データの生成を担当した検査施設あるいは検査担当者の識別情報と前記アクセス権記憶手段に保存された前記アクセス権を照合して出力可否の判定を行なう出力可否判定手段と、この出力可否判定手段による判定結果に基づいて前記画像データ及び前記患者情報の出力を制御する出力制御手段と、この出力制御手段によって出力が許可された前記画像データ及び患者情報を出力する出力手段を備えたことを特徴としている。
【００１２】
又、請求項６に係る本発明の画像データ読影システムは、画像データの生成を行なう画像診断装置と前記画像データの読影を行なう読影装置と前記画像データの読影におけるアクセス権を設定するアクセス権管理装置がネットワークを介して接続された画像データ読影システムであって、前記画像診断装置は、受検者に対して画像データを生成する画像データ生成手段と、前記画像データと前記受検者の患者情報と前記画像データの生成を担当した検査施設あるいは検査担当者の識別情報を用いて送信データを生成する送信データ生成手段を有し、前記読影装置は、ネットワークを介して前記送信データ生成手段から供給された前記送信データを保存するデータ記憶手段と、前記画像データの読影を担当する読影担当者の識別情報を入力する入力手段と、ネットワークを介して前記アクセス権管理装置から供給された出力可否の判定結果に基づいて前記画像データ及び前記患者情報の出力を制御する出力制御手段と、前記出力制御手段によって出力が許可された前記画像データ及び前記患者情報を出力する出力手段を有し、前記アクセス権管理装置は、検査施設あるいはこの検査施設における検査担当者の識別情報と読影担当者の識別情報に基づいて予め設定されたアクセス権を保存するアクセス権記憶手段と、前記画像データの読影を担当する読影担当者の識別情報及び前記画像データの生成を担当した検査施設あるいは前記検査担当者の識別情報と前記アクセス権記憶手段に保存された前記アクセス権を照合して出力可否の判定を行なう出力可否判定手段を有することを特徴としている。
【００１３】
一方、又、請求項７に係る本発明のアクセス権管理装置は、検査施設あるいは検査担当者の識別情報と読影担当者の識別情報に基づいてアクセス権を予め設定するアクセス権設定手段と、設定した前記アクセス権を保存するアクセス権記憶手段と、受検者に対して画像データの生成を担当した検査施設あるいは検査担当者の識別情報及び前記画像データの読影を担当する読影担当者の識別情報と前記アクセス権記憶手段に保存された前記アクセス権を照合して画像データ読影時における画像データ及び患者情報の出力可否を判定する出力可否判定手段を備えたことを特徴としている。
【００１４】
又、請求項８に係る本発明の画像データ読影方法は、検査施設あるいは検査担当者の識別情報と読影担当者の識別情報に基づいてアクセス権を設定するステップと、受検者に対して画像データを生成するステップと、前記画像データの生成を担当した検査施設あるいは検査担当者の識別情報と前記受検者の患者情報を付帯情報として前記画像データを保存するステップと、前記画像データの読影を担当する読影担当者の識別情報及び前記画像データの生成を担当した検査施設あるいは検査担当者の識別情報と前記アクセス権を照合して出力可否を判定するステップと、前記出力可否の判定結果に基づいて前記画像データ及び前記患者情報を出力するステップと、出力された画像データに対して読影を行なうステップを
有することを特徴としている。
【発明の効果】
【００１５】
本発明によれば、検査施設あるいは検査施設の検査担当者と読影施設の読影担当者の識別情報に基づいて設定された医療情報アクセス権を用いて読影時における画像データや患者情報等のセキュリティ管理を行なうことにより、受検者に関する個人情報の漏洩を防止することが可能となる。
【発明を実施するための最良の形態】
【００１６】
以下、図面を参照して本発明の実施例を説明する。
【実施例】
【００１７】
以下に述べる本発明の実施例の特徴は、画像診断装置において生成された画像データをネットワークを介して接続された読影施設の読影装置によって読影する際のデータアクセス権を、画像データの生成を行なう検査担当者の識別情報と画像データの読影を行なう読影担当者の識別情報に基づいて予め設定することにある。
【００１８】
（画像データ読影システムの構成）
本発明の実施例における画像データ読影システムの構成につき図１乃至図７を用いて説明する。尚、図１は、画像データ読影システムの全体構成を示すブロック図であり、図２は、この画像データ読影システムを構成する医用画像診断装置のブロック図を示す。
【００１９】
図１に示した画像データ読影システム１００は、受検者の診断対象部位に対して画像データを生成すると共に、この画像データの生成を担当した検査担当者の識別情報（以下では、検査担当者ＩＤと呼ぶ。）及び前記受検者の患者情報を前記画像データに付加しネットワーク２を介して接続された読影装置３に供給する医用画像診断装置１と、医用画像診断装置１から供給された画像データ及び患者情報をアクセス権管理装置４からの出力可否信号に従がって読影のための表示あるいは印刷を行なう読影装置３を備え、更に、検査担当者ＩＤと読影装置３における読影担当者の識別情報（以下では、読影担当者ＩＤと呼ぶ。）に基づいて予め設定されたアクセス権データと読影装置３から供給された検査担当者ＩＤ及び読影担当者ＩＤを照合し、読影装置３における画像データ及び患者情報の表示あるいは印刷を制御するアクセス権管理装置４を備えている。
【００２０】
尚、本実施例における医用画像診断装置１は検査施設１１０に、読影装置３は読影施設１２０に設置され、アクセス権管理装置４は、検査施設１１０あるいは読影施設１２０と異なる第３の施設に設置されている場合について述べるが、検査施設１１０あるいは読影施設１２０の何れかにおいて設置されていても構わない。又、検査施設１１０の医用画像診断装置１は、ネットワーク２を介して院外の読影施設１２０及びアクセス権管理装置４に接続される場合について述べるが、読影施設１２０及びアクセス権管理装置４は同じ院内に設けられていてもよい。
【００２１】
一方、図１では検査施設１１０と読影施設１２０のみを示しているが、通常はネットワーク２を介して複数の検査施設と複数の読影施設が接続され、読影施設１２０の読影装置３では検査施設１１０から供給される画像データのみならず、他の検査施設から供給された画像データに対しても読影が可能となっている。
【００２２】
検査施設１１０に設置された医用画像診断装置１は、受検者の診断対象部位に対して画像データを生成する画像データ生成部１１と、検査担当者ＩＤや患者情報、更には各種コマンド等の入力を行なう入力部１３と、生成された画像データに対し患者情報及び検査担当者ＩＤを付加して例えば汎用ＤＩＣＯＭファイルを生成し、ネットワーク２を介して読影装置３に供給する送信データ生成部１２と、入力部１３において入力された各種コマンドに基づいて画像データ生成部１１及び送信データ生成部１２を制御する制御部１４を備えている。
【００２３】
尚、本実施例では、Ｘ線診断装置をベースとした医用画像診断装置１について述べるが、Ｘ線ＣＴ装置、ＭＲＩ装置、ＰＥＴ装置、内視鏡装置、超音波診断装置等の他の画像診断装置をベースとした医用画像診断装置であってもよい。
【００２４】
即ち、図２に示した医用画像診断装置１の画像データ生成部１１は、受検者１５０に対してＸ線を照射するＸ線発生部１１１と、受検者１５０を透過したＸ線を２次元的に検出すると共に、この検出データに基づいてＸ線投影データを生成するＸ線検出部１１２と、Ｘ線発生部１１１とＸ線検出部１１２を保持する図示しない支持アームと、受検者１５０を載置する天板１１３を備えている。
【００２５】
又、画像データ生成部１１は、前記支持アームや天板１１３などの移動を行なう図示しない機構部と、Ｘ線検出部１１２において生成されたＸ線投影データに対して画像処理を行ない、得られた画像データを一旦保存する画像演算記億部１１４と、画像データを必要に応じて表示する表示部１１５を有している。
【００２６】
Ｘ線発生部１１１は、受検者１５０に対しＸ線を照射するＸ線管１１７と、このＸ線管１１７におけるＸ線照射に必要な高電圧を発生する高電圧発生器１１６と、図示しないＸ線絞り器とを備えている。Ｘ線管１１７は、Ｘ線を発生する真空管であり、陰極（フィラメント）より放出された電子を高電圧によって加速させてタングステン陽極に衝突させＸ線を発生する。一方、Ｘ線絞り器は、Ｘ線管１１７と受検者１５０の間に位置し、Ｘ線管１１７から照射されたＸ線ビームを所定の照射視野のサイズに絞り込む機能を有している。
【００２７】
Ｘ線検出部１１２は、受検者１５０を透過したＸ線を電荷に変換して蓄積する平面検出器１１８と、平面検出器１１８に蓄積された電荷をＸ線信号として読み出すための図示しないゲートドライバと、読み出された電荷からＸ線投影データを生成する投影データ生成部１１９とを備えている。そして、投影データ生成部１１９は、平面検出器１１８から読み出された電荷を電圧に変換する多チャンネルの電荷・電圧変換器と、この電荷・電圧変換器の出力をデジタル信号に変換するＡ／Ｄ変換器と、多チャンネルのＡ／Ｄ変換器からパラレルに読み出されたＸ線投影データを時系列信号に変換するパラレル・シリアル変換器を有している。
【００２８】
一方、画像演算記憶部１１４は、画像データを生成する機能を有し図示しない演算処理回路と記憶回路を備えている。そして、前記記憶回路は、投影データ生成部１１９から時系列的に出力されたＸ線投影データを保存して２次元の画像データを生成し、前記演算処理回路は、前記画像データに対して輪郭強調などの画像処理及びＤＳＡ画像データや３次元画像データ等を生成するための画像演算を行なう。
【００２９】
次に、図１に示した入力部１３は、操作パネル上にキーボード、トラックボール、マウス、カードリーダ等の入力デバイスと表示パネルを備えている。そして、画像データの生成における撮影条件の設定、画像データの送信における送信方式の選択、当該受検者の患者情報の入力あるいは患者情報収集コマンドの入力、検査担当者ＩＤの入力、画像データ及び送信データの生成コマンド及び送信コマンドの入力等が上記入力デバイスを用いて行なわれる。
【００３０】
一方、制御部１４は、図示しないＣＰＵと記憶回路を備え、入力部１３において設定あるいは入力された情報は前記記憶回路に保存される。そして、前記ＣＰＵは、記憶された設定情報あるいは入力情報に基づいて画像データ生成部１１及び送信データ生成部１２を制御する。又、制御部１４は、ネットワーク２を介して病院情報システム（ＨＩＳ）に接続され、入力部１３から供給される患者情報収集コマンドに基づいて前記ＨＩＳより患者情報を収集し前記記憶回路に保存する機能を有している。
【００３１】
そして、送信データ生成部１２は、図２に示した画像データ生成部１１の画像演算記億部１１４に保存されている画像データと制御部１４の記憶回路に保存されている患者情報及び検査担当者ＩＤを用いてＤＩＣＯＭファイルを生成する。図３に、送信データ生成部１２によって生成されるＤＩＣＯＭファイルの具体例を示す。このＤＩＣＯＭファイル８８は、ＤＩＣＯＭファイルメタ情報８９−１とＤＩＣＯＭデータ集合８９−２から構成され、ＤＩＣＯＭデータ集合８９−２は、複数のデータ要素９０（例えば、データ要素９０−１乃至９０−Ｍ）から構成されている。更に、各データ要素は識別記号が入力される「Ｔａｇ」領域９１−１、文字列を指定する「ＶＲ（Value・Representation）」領域９１−２、データ長が入力される「Value・Length」領域９１−３、そして、付帯情報や画像データが保存される「Value・Field」領域９１−４が設けられている。
【００３２】
次に、ＤＩＣＯＭデータ集合８９−２のデータ要素９０−１乃至９０−Ｍの各領域に保存されるデータの具体例を図４の一覧表において示す。この具体例では、“１９７０年１月１日生まれの「Toshiba-Taro」（Ｍ：男）が、２００４年１０月１１日に来院。同日１１時４０分１５秒に撮影した画像データを組み込んでＤＩＣＯＭファイルを生成した場合を示している。そして、例えば、「患者名」、「患者生年月日」、「患者性別」（以上、患者情報）や、「画像データ撮影日」、「画像データ撮影時刻」、「画像データＩＤ」、「検査施設ＩＤ」、「画像モダリティ」、「検査担当者ＩＤ」（以上、検査情報）等の付帯情報と「画像データ」がデータ要素として組み込まれている。
【００３３】
そして、送信データ生成部１２は、上述のようにして生成したＤＩＣＯＭファイルを図示しないネットワークインターフェース及びネットワーク２を介して読影施設１２０に供給する。
【００３４】
次に、読影施設１２０に設けられた読影装置３の構成についてのべる。図１に示した読影装置３は、ネットワーク２を介して検査施設１１０の医用画像診断装置１及び図示しない他の検査施設における医用画像診断装置と接続されており、これらの医用画像診断装置から供給された画像データをその付帯情報である患者情報及び検査情報等と共に保存するためのデータ記憶部３１と、データ記憶部３１に保存された検査情報に基づいてデータリストを生成するデータリスト生成部３２と、読影担当者ＩＤの入力と前記データリストにおける読影対象画像データの選択を行なう入力部３３を備えている。
【００３５】
更に、読影装置３は、データリストにおいて選択された読影対象画像データの検査担当者ＩＤと入力部３３から入力された読影担当者ＩＤをネットワーク２を介してアクセス権管理装置４に供給すると共に、アクセス権管理装置４から供給された出力可否信号に基づいて画像データ及び患者情報の出力を制御する制御部３４と、制御部３４の制御信号に基づいて画像データ及び患者情報の表示あるいは印刷を行なう出力部３５を備えている。
【００３６】
データリスト生成部３２は、ＤＩＣＯＭファイルにおける画像データの付帯情報としてデータ記憶部３１に保存されている画像データＩＤ、画像データ撮影日、検査施設ＩＤ、画像モダリティ（画像診断装置）、更には検査担当者ＩＤ等の検査情報を読み出し、これらの検査情報に基づいて読影施設１２０や他の読影施設から供給された全ての画像データに関するデータリストを生成する。
【００３７】
入力部３３は、例えば、上述のデータリストを表示するための表示パネルと、このデータリストにおいて読影対象画像データを選択するためのマウスや読影担当者ＩＤを入力するためのカードリーダあるいはキーボード等の入力デバイスと、出力部３５における出力形式を選択するための出力選択ボタン等を備えている。但し、データリストの表示は出力部３５において行なってもよい。
【００３８】
図５は、データリスト生成部３２によって生成され入力部３３の表示パネルにおいて表示されたデータリストの具体例を示したものであり、このデータリストは、例えば、画像データＩＤ、画像データ撮影日、検査施設ＩＤ、画像モダリティ、検査担当者ＩＤ等から構成されている。
【００３９】
次に、図１の読影装置３における制御部３４は、入力部３３の表示パネルに表示されたデータリストにて選択された読影対象画像データの検査担当者ＩＤと入力部３３から入力された読影担当者ＩＤを受信し、これらの識別情報と出力可否判定依頼信号をネットワーク２を介してアクセス権管理装置４に供給する。又、アクセス権管理装置４における上記識別情報と予め設定されたアクセス権との照合から得られた出力可否信号をネットワーク２を介して受信し、この出力可否信号に基づいて出力部３５における画像データ及び患者情報の表示あるいは印刷を制御する。
【００４０】
一方、出力部３５は、図６に示すように、表示部３５１及び印刷部３５５を備え、制御部３４が上述の出力可否信号に基づいて生成した表示許可信号あるいは印刷許可信号に従がい読影対象の画像データと患者情報の表示あるいは印刷を行なう。
【００４１】
即ち、表示部３５１は、表示データ生成部３５２及びモニタ３５３を有し、表示データ生成部３５２は、制御部３４が供給する表示許可信号に基づいて当該受検者の画像データ及び患者情報を所定の表示フォーマットに変換して表示データを生成し、モニタ３５３に表示する。
【００４２】
又、印刷部３５５は、印刷データ生成部３５６及びフィルム印刷機３５７を有し、印刷データ生成部３５６は、制御部３４が供給する印刷許可信号に基づいて当該受検者の画像データ及び患者情報を所定の印刷フォーマットに変換して印刷データを生成し、得られた印刷データをフィルム印刷機３５７に供給してフィルム印刷を行なう。尚、出力部３５における出力形態は、後述のアクセス権管理装置４における出力可否判定結果により、例えば、画像データ及び患者情報を出力する場合、画像データのみを出力する場合、何れも出力しない場合等に分類されるが、これらの詳細については後述する。
【００４３】
図１に戻って、アクセス権管理装置４は、アクセス権の設定あるいは更新を行なうアクセス権設定部４１と、設定されたアクセス権のデータを保存するアクセス権データ記憶部４２と、前記アクセス権と読影装置３から供給された検査担当者ＩＤ及び読影担当者ＩＤに基づいて出力可否の判定を行なう出力可否判定部４３を備えている。
【００４４】
アクセス権設定部４１は、図示しない表示部と入力部を備え、表示部に所定フォーマットで表示された入力シートに対してアクセス権の設定や更新を行なう。但し、一度設定されたアクセス権は、更新あるいは削除されない限りアクセス権データ記憶部４２において恒久的に保管される。
【００４５】
図７は、アクセス権設定部４１において設定されたアクセス権の具体例を示したものであり、例えば、検査施設１１０の検査担当者が生成した画像データの読影を許可される読影施設１２０の読影担当者は、施設間で結ばれた契約等によって予め定められている。
【００４６】
図７において、例えば、読影施設１２０にて当該受検者の画像データを生成した検査担当者の検査担当者ＩＤを「Ａ−０１」、読影施設１２０における他の検査担当者あるいは他の読影施設における検査担当者の検査担当者ＩＤを「Ａ−０２」、「Ａ−０３」・・・、又、読影施設１２０において、「Ａ−０１」の検査担当者ＩＤが付加された画像データの読影を担当する読影担当者の読影担当者ＩＤを「Ｂ−０１」、同じ読影施設１２０における他の読影担当者の読影担当者ＩＤを「Ｂ−０２」、「Ｂ−０３」・・・とした場合、検査担当者ＩＤ「Ａ−０１」に対して読影担当者ＩＤ「Ｂ−０１」が対応した場合のみ画像データと患者情報に対してアクセス権が設定され、読影担当者ＩＤ「Ｂ−２」、「Ｂ−３」・・・に対しては画像データのみのアクセス権が設定されるか、又は、画像データ及び患者情報の何れに対してもアクセス権が設定されない。同様にして、検査担当者ＩＤ「Ａ−２」と読影担当者ＩＤ「Ｂ−２」、検査担当者ＩＤ「Ａ−３」と読影担当者ＩＤ「Ｂ−３」・・・においても画像データ及び患者情報に対するアクセス権が夫々設定される。
【００４７】
次に、図１のアクセス権管理装置４における出力可否判定部４３は、読影装置３からネットワーク２を介して供給された検査担当者ＩＤ及び読影担当者ＩＤと前記アクセス権データ記憶部４２に保管されているアクセス権を照合して出力可否の判定を行なう。例えば、検査担当者ＩＤ「Ａ−０１」と読影担当者ＩＤ「Ｂ−０１」、検査担当者ＩＤ「Ａ−０２」と読影担当者ＩＤ「Ｂ−０２」、検査担当者ＩＤ「Ａ−０３」と読影担当者ＩＤ「Ｂ−０３」、・・・が対応している場合には画像データ及び患者情報の出力を許可する判定を行ない、上述の組み合わせ以外の場合には、画像データのみの出力を許可する判定あるいは画像データ及び患者情報の何れの出力も許可しない判定を行なう。そして、得られた上述の判定結果に基づいて生成した出力可否信号を、ネットワーク２を介して読影装置３に供給する。
【００４８】
（画像データの読影手順）
次に、本実施例の画像データ読影システム１００による画像データの読影手順につき図８のフローチャートを用いて説明する。この場合、当該受検者の患者情報は、ネットワーク２を介して接続されたＨＩＳ（病院情報システム）に予め保管されている場合について述べるが、保管先はＲＩＳ（放射線科情報システム）であってもよく、又、医用画像診断装置１の入力部１３において検査担当者が新たに入力しても構わない。
【００４９】
先ず、医用画像診断装置１の検査担当者は、入力部１３において検査担当者ＩＤ「Ａ−０１」を入力した後当該受検者の患者情報要求コマンドを入力する。次いで、医用画像診断装置１の制御部１４は、入力部１３から供給された検査担当者ＩＤを自己の記憶回路に保存し、更に、患者情報要求コマンドをネットワーク２を介して接続されているＨＩＳに供給する。
【００５０】
一方、医用画像診断装置１の制御部１４から患者情報要求コマンドを受信したＨＩＳは保管されている複数の患者情報の中から当該受検者の患者情報を検索する。そして、得られた患者情報をネットワーク２を介し医用画像診断装置１の制御部１４に供給して前記記憶回路に保存する（図８のステップＳ１）。
【００５１】
検査担当者ＩＤの入力と患者情報の収集が終了したならば、検査担当者は、医用画像診断装置１の画像データ生成部１１における天板１１３に受検者を載置し、入力部１３より撮影コマンドを入力する。そして、この撮影コマンドに従ってＸ線撮影による画像データの生成が開始される。
【００５２】
即ち、画像データ生成部１１におけるＸ線発生部１１１の高電圧発生器１１６は、入力部１３から制御部１４を介して供給される撮影コマンドを受け、既に設定されているＸ線照射条件に基づいて高電圧をＸ線管１１７に印加して受検者１５０にＸ線を照射する。そして、受検者１５０を透過したＸ線は、受検者１５０の後方に設けられたＸ線検出部１１２の平面検出器１１８によって検出される。
【００５３】
平面検出器１１８は、Ｘ線の照射方向に対して略垂直な面上に２次元配列された検出素子を有し、この検出素子の各々に照射されたＸ線量に応じて発生した電荷は、図示しないゲートドライバの出力パルスによって順次読み出される。そして、読み出された電荷は投影データ生成部１１９に供給され、投影データ生成部１１９において電荷・電圧変換、Ａ／Ｄ変換、更にはパラレル・シリアル変換が行なわれて生成された時系列的なＸ線投影データは、画像演算記憶部１１４に順次保存されて画像データが生成される。（図８のステップＳ２）。
【００５４】
Ｘ線撮影による画像データの生成が終了したならば、検査担当者は、入力部１３においてＤＩＣＯＭファイルによる送信方式を選択し、ＤＩＣＯＭファイルの生成コマンドを入力する。そして、制御部１４を介してこのコマンド信号を受信した送信データ生成部１２は、画像データ生成部１１の画像演算記憶部１１４に保存されている画像データと、制御部１４の記憶回路に保存されている患者情報及び検査担当者ＩＤ「Ａ−０１」を夫々読み出し、例えば、図２及び図３に示したＤＩＣＯＭファイルを生成する。そして、ＤＩＣＯＭファイルの生成を終了した送信データ生成部１２は、生成終了信号を制御部１４を介して入力部１３に供給する。
【００５５】
ＤＩＣＯＭファイルの生成終了を入力部１３の表示パネルに表示された上記生成終了信号によって確認した検査担当者は、入力部１３の入力デバイスを用いてＤＩＣＯＭファイルの送付先（即ち、読影施設１２０の読影装置３）を設定した後、送信コマンドを入力する。そして、このコマンド信号を受信した制御部１４は、送信データ生成部１２において生成された当該受検者のＤＩＣＯＭファイルをネットワーク２を介して読影施設１２０の読影装置３に供給しデータ記憶部３１に保存する（図８のステップＳ３）。
【００５６】
一方、検査担当者ＩＤ「Ａ−０１」の検査担当者が生成した画像データの読影を担当する読影施設１２０の読影担当者は、読影装置３のデータ記憶部３１に保存されている画像データの読影に際して、先ず、読影装置３の入力部３３において自己の読影担当者ＩＤ「Ｂ−０１」を入力し、更に、データ記憶部３１に保存されている画像データ、患者情報及び検査情報に関するデータリストの表示要求コマンドを入力する（図８のステップＳ４）。
【００５７】
入力部３３にて入力された読影担当者ＩＤは、制御部３４の記憶回路に保存され、一方、データリストの表示要求コマンドは、制御部３４を介してデータリスト生成部３２に供給される。そして、表示要求コマンドを受信したデータリスト生成部３２は、データ記憶部３１に保管されているＤＩＣＯＭファイルの中からデータリストの作成に必要な、例えば、画像データＩＤ、画像データ撮影日、検査施設ＩＤ、画像モダリティ、検査担当者ＩＤ等の検査情報を読み出して図５に示すようなデータリストを生成し、このデータリストを入力部３３の表示パネルに表示する（図８のステップＳ５）。
【００５８】
次いで、読影担当者は、例えば、入力部３３に設けられた出力選択ボタンを用いて表示出力形式を選択した後、入力部３３の表示パネルに表示された上述のデータリストにおいて、例えば、検査担当者ＩＤ欄に「Ａ−０１」が表示されているリスト番号１の画像データを読影対象画像データとして選択する（図８のステップＳ６）。そして、読影装置３の制御部３４は、入力部３３において選択されたデータリストの中の担当検査担当者ＩＤ「Ａ−０１」と既に自己の記憶回路に保存されている読影担当者ＩＤ「Ｂ−０２」を出力可否判定依頼信号と共にネットワーク２を介してアクセス権管理装置４の出力可否判定部４３に供給する。
【００５９】
一方、読影装置３の制御部３４より検査担当者ＩＤ「Ａ−０１」及び読影担当者ＩＤ「Ｂ−０２」と出力可否判定依頼信号を受信した出力可否判定部４３は、これらの識別情報とアクセス権データ記憶部４２に予め保管されているアクセス権データ（図７参照）を照合し、上述のリスト番号１の画像データ及び患者情報に対する出力可否を判定する（図８のステップＳ７）。
【００６０】
この場合、出力可否判定部４３は、読影装置３の読影担当者がリスト番号１の画像データの読影を許可された読影担当者であると判定し、画像データ及び患者情報の何れに対しても出力を許可する旨の出力可否信号をネットワーク２を介して読影装置３の制御部３４に供給する。
【００６１】
この出力可否信号を受信した制御部３４は、データ記憶部３１に保管されている画像データと患者情報を読み出して出力部３５の表示データ生成部３５２に供給し、表示データ生成部３５２は、上述の画像データ及び患者情報を用いて所定フォーマットの表示データを生成してモニタ３５３に表示する（図８のステップＳ８）。そして、読影担当者は、出力部３５のモニタ３５３に表示された患者情報を参考に画像データの読影を行なう（図８のステップＳ９）。
【００６２】
尚、上述の説明では、検査担当者ＩＤ「Ａ−０１」が付加された画像データの読影が許可された読影担当者ＩＤ「Ｂ−０１」の読影担当者が前記画像データを読影する場合について述べたが、この画像データの読影が許可されていない（即ち、アクセス権が設定されていない）読影担当者ＩＤ「Ｂ−０２」あるいは読影担当者ＩＤ「Ｂ−０３」等の読影担当者が前記画像データの読影を行う場合、出力可否判定部４３は、画像データのみの出力を許可する出力可否判定、あるいは画像データと患者情報の何れに対しても出力を許可しない出力可否判定を行ない、これらの出力可否判定に基づいて生成した出力可否信号を読影装置３の制御部３４に供給する（図８のステップＳ７）。
【００６３】
そして、画像データのみの出力が許可された場合には、制御部３４は、データ記憶部３１に保管されている画像データのみを出力部３５に供給して表示する（図８のステップＳ１０）。又、画像データと患者情報の何れの出力も許可されない場合には、制御部３４は、前記画像データの出力部３５への供給を拒否し、必要に応じて読影不可を示す文言を入力部３３の表示パネルあるいは出力部３５のモニタ３５３に表示する（図８のステップＳ１１）。
【００６４】
一方、上述のステップＳ６における出力形式の選択において印刷出力形式が選択された場合には、表示出力形式の場合と同様にして出力可否判定部４３は検査担当者ＩＤ、読影担当者ＩＤ及びアクセス権データを照合し、画像データ及び患者情報の出力を許可する出力可否判定、画像データのみの出力を許可する出力可否判定、画像データ及び患者情報の何れに対しても出力を許可しない出力可否判定を行ない、これらの出力可否判定に基づいて生成した出力可否信号を読影装置３の制御部３４に供給する（図８のステップＳ７）。
【００６５】
このとき、画像データ及び患者情報の出力を許可する出力可否信号を受信した制御部３４は、データ記憶部３１に保管されている画像データと患者情報を読み出して出力部３５の印刷部３５５に供給し、印刷データ生成部３５６は、上述の画像データ及び患者情報を用いて所定フォーマットの印刷データを生成し、フィルム印刷機３５７によってフィルム印刷する（図８のステップＳ８）。
【００６６】
一方、画像データのみの出力が許可された場合には、制御部３４は、データ記憶部３１に保管されている画像データのみを出力部３５の印刷部３５５に供給してフィルム印刷を行ない（図８のステップＳ１０）、画像データと患者情報の何れの出力も許可されない場合には、制御部３４は、前記画像データの出力部３５への供給を拒否し、必要に応じて印刷不可を示す文言を入力部３３の表示パネルに表示する（図８のステップＳ１１）。
【００６７】
以上述べた本発明の実施例によれば、検査施設の検査担当者及び読影施設の読影担当者の識別情報とこれらの担当者間で予め設定された医療情報アクセス権に基づいて画像データや患者情報等の出力が制御されるため、この画像データの読影に関係しない他の医療従事者に対する受検者の個人情報漏洩を防止することが可能となる。
【００６８】
又、本実施例によれば、画像データに対するマスキング処理等の作業が不要となるため検査担当者の負担が軽減され、更に、読影ネットワークにおいてオリジナル画像データと加工された画像データの混在が無くなるため画像データ取り違え等のトラブルを防止することができる。
【００６９】
更に、上述の実施例では、アクセス権管理装置と読影装置が独立した施設に設置されているため、受検者の個人情報に対するセキュリティ管理を厳格に行なうことが可能となる。
【００７０】
以上、本発明の実施例について述べてきたが、本発明は上述の実施例に限定されるものでは無く、変形して実施することが可能である。例えば、上述の実施例におけるアクセス権は、検査施設１１０における検査担当者の識別情報と読影施設１２０における読影担当者の識別情報に基づいて設定される場合について述べたが、検査施設１１０の識別情報、検査施設１１０における検査部署の識別情報、検査施設１１０における医用画像診断装置１の識別情報の何れかと読影施設１２０における読影担当者の識別情報に基づいて設定してもよい。
【００７１】
又、上述の検査施設１１０から読影施設１２０に供給する送信データの具体例として、画像データとその付帯情報を所定フォーマットで合成したＤＩＣＯＭファイルについて示したが、これに限定されるものではなく、画像データと付帯情報を夫々独立に読影施設１２０に供給してもよい。このような方法によれば心電波形等の生体信号のようにＤＩＣＯＭファイルに対応困難な付帯情報も前記読影施設１２０に対して容易に供給することが可能となる。
【００７２】
一方、上述の実施例における出力部３５は、画像データ及び患者情報をモニタ３５３に表示する場合とフィルム印刷機３５７にてフィルム印刷する場合について示したが、これらの何れか一方によって構成されていてもよく、又、他の出力形式であっても構わない。
【００７３】
更に、上述の実施例における患者情報として「患者名」、「患者生年月日」、「患者性別」等について述べたが、これに限定されるものではなく、例えば、関係者以外への開示が望ましくない「疾患名」や他の検査結果等のデータ、あるいは受診者の特定が可能なデータの全てを含んでいる。
【図面の簡単な説明】
【００７４】
【図１】本発明の実施例における画像データ読影システムの全体構成を示すブロック図。
【図２】同実施例の画像データ読影システムを構成する医用画像診断装置の具体例を示すブロック図。
【図３】同実施例の医用画像診断装置から読影装置に供給されるＤＩＣＯＭファイルの概要を示す図。
【図４】同実施例のＤＩＣＯＭファイルにおけるデータ要素の具体例を示す図。
【図５】同実施例の読影装置において生成されたデータリストの具体例を示す図。
【図６】同実施例の読影装置における出力部の具体例を示すブロック図。
【図７】同実施例のアクセス権管理装置において設定されるアクセス権の具体例を示す図。
【図８】同実施例における画像データの読影手順を示すフローチャート。
【符号の説明】
【００７５】
１…医用画像診断装置
２…ネットワーク
３…読影装置
４…アクセス権管理装置
１１…画像データ生成部
１２…送信データ生成部
１３…入力部
１４…制御部
３１…データ記憶部
３２…データリスト生成部
３３…入力部
３４…制御部
３５…出力部
４１…アクセス権設定部
４２…アクセス権データ記憶部
４３…出力可否判定部
１００…画像データ読影システム
１１０…検査施設
１２０…読影施設
３５１…表示部
３５２…表示データ生成部
３５３…モニタ
３５５…印刷部
３５６…印刷データ生成部
３５７…フィルム印刷機
【図１】
2006198042.tif 000003
【図２】
2006198042.tif 000004
【図３】
2006198042.tif 000005
【図４】
2006198042.tif 000006
【図５】
2006198042.tif 000007
【図６】
2006198042.tif 000008
【図７】
2006198042.tif 000009
【図８】
2006198042.tif 000010